(57)【要約】【課題】本発明は、発光素子の利用効率が高い照明装置を提供する。【解決手段】本発明に係る照明装置は、ベースと、前記ベースに設置される支持板と、前記支持板に設置され、且つ少なくとも一つの第一発光モジュール及び第二発光モジュールを含む複数の発光素子と、を備える。第一発光モジュールから発射される光は、第一色度座標（ｘ１、ｙ１）を有し、その中で、ｘ１は０．３０１から０．３０５の範囲にあり、ｙ１は０．２９６から０．３０１の範囲にあり、第二発光モジュールから発射される光は、第二色度座標（ｘ２、ｙ２）を有し、その中で、ｘ２は０．３１３から０．３１８の範囲にあり、ｙ２は０．３１４から０．３２１の範囲にあり、第一発光モジュールから発射される光と第二発光モジュールから発射される光とは混合された後、外部に出射される。【選択図】図１
2014041822.tif 000002
【特許請求の範囲】
【請求項１】
ベースと、
前記ベースに設置される支持板と、
前記支持板に設置され、且つ少なくとも一つの第一発光モジュール及び第二発光モジュールを含む複数の発光素子と、を備える照明装置において、
前記第一発光モジュールから発射される光が、第一色度座標（ｘ１、ｙ１）を有し、その中で、ｘ１が０．３０１から０．３０５の範囲にあり、ｙ１が０．２９６から０．３０１の範囲にあり、前記第二発光モジュールから発射される光が、第二色度座標（ｘ２、ｙ２）を有し、その中で、ｘ２が０．３１３から０．３１８の範囲にあり、ｙ２が０．３１４から０．３２１の範囲にあり、前記第一発光モジュールから発射される光と前記第二発光モジュールから発射される光とが混合された後、外部に出射されることを特徴とする、照明装置。
【請求項２】
前記支持板が、底面と、前記底面に対向する頂面と、前記底面及び前記頂面を連接する複数の側面と、を備え、前記支持板の底面が前記ベースに設置され、また、前記底面の面積が前記頂面の面積より大きく、前記支持板が四角錐台状を呈し、前記第一発光モジュールが前記支持板の頂面に設置され、前記第二発光モジュールが前記支持板の側面に設置されることを特徴とする、請求項１に記載の照明装置。
【請求項３】
前記照明装置が、前記支持板を囲んで設置された反射素子をさらに備え、前記反射素子が反射キャビティを有し、前記支持板が前記反射キャビティ内に設置され、前記反射キャビティの開口が、前記発光素子から離れる方向に向かって徐々に拡大し、前記発光素子からの光が、前記反射素子の反射によって外部に出射されることを特徴とする、請求項２に記載の照明装置。
【請求項４】
前記支持板が平板状を呈し、前記第一発光モジュール及び前記第二発光モジュールが、互いに離間して前記支持板に設置されることを特徴とする、請求項１に記載の照明装置。
【請求項５】
前記第一発光モジュールから発射される光と前記第二発光モジュールから発射される光とが混合された後の混合光が、第三色度座標（ｘ３、ｙ３）を有し、その中で、ｘ３が０．３０５から０．３１３の範囲にあり、ｙ３が０．３０１から０．３１４の範囲にあることを特徴とする、請求項１ないし請求項４のいずれか１項に記載の照明装置。
【発明の詳細な説明】
【技術分野】
【０００１】
本発明は、照明装置に関するものである。
【背景技術】
【０００２】
発光ダイオード（Ｌｉｇｈｔ  Ｅｍｉｔｔｉｎｇ  Ｄｉｏｄｅ：ＬＥＤ）は、電流を特定の波長の光に転換できる半導体素子からできており、高輝度、低駆動電圧、低消費電力、長寿命等の多くの利点を有している。それ故に、ＬＥＤは、従来の蛍光灯或いは白熱灯に代わって、ランプの光源として、現在広く利用されている。
【０００３】
発光ダイオード照明装置を使用する過程において、発光ダイオード照明装置の色温度は、特定の範囲内に制御しなければならない。一般的には、同じ色温度を有するＬＥＤ光源を採用して上述した照明装置を製造する。しかし、同じバッチで生産されたＬＥＤ光源のうち、蛍光体粉末の分布が不均一である場合があるため、ＬＥＤ光源の色温度は一定の偏移範囲を有する。従って、標準色温度範囲より高い又は低い部分のＬＥＤ光源は照明装置に応用することができないため、ＬＥＤ光源の利用効率は低い。
【発明の概要】
【発明が解決しようとする課題】
【０００４】
前記課題を解決するために、本発明は、発光素子の利用効率が高い照明装置を提供する。
【課題を解決するための手段】
【０００５】
本発明に係る照明装置は、ベースと、前記ベースに設置される支持板と、前記支持板に設置され、且つ少なくとも一つの第一発光モジュール及び第二発光モジュールを含む複数の発光素子と、を備える。第一発光モジュールから発射される光は、第一色度座標（ｘ１、ｙ１）を有し、その中で、ｘ１は０．３０１から０．３０５の範囲にあり、ｙ１は０．２９６から０．３０１の範囲にあり、第二発光モジュールから発射される光は、第二色度座標（ｘ２、ｙ２）を有し、その中で、ｘ２は０．３１３から０．３１８の範囲にあり、ｙ２は０．３１４から０．３２１の範囲にあり、第一発光モジュールから発射される光と第二発光モジュールから発射される光とは混合された後、外部に出射される。
【発明の効果】
【０００６】
従来の技術と比べて、本発明に係る照明装置において、比較的に低い色温度を有する第一発光モジュールから発射される光と、比較的に高い色温度を有する第二発光モジュールから発射される光とは混合された後、外部に出射されるため、混合された後の光は適切な色温度を有する。従って、照明装置からの光の色温度は標準を満たすことができる。
【図面の簡単な説明】
【０００７】
【図１】本発明の第一実施形態に係る照明装置の断面図である。
【図２】図１に示した照明装置の平面図である。
【図３】同じバッチで生産されたＬＥＤ光源の色度座標の分布図である。
【図４】本発明の第二実施形態に係る照明装置の断面図である。
【発明を実施するための形態】
【０００８】
以下、図面を参照して、本発明の実施形態について説明する。
【０００９】
図１を参照すると、本発明の第一実施形態に係る照明装置１００は、ベース１１０、支持板１２０、反射素子１３０及び複数の発光素子１４０を備える。
【００１０】
ベース１１０は頂面１１１を有し、支持板１２０及び反射素子１３０は、該ベース１１０の頂面１１１上にそれぞれ設置される。頂面１１１に対向するベース１１０の端部には、外部電源と電気的に接続するためのねじ山インタフェース１１２が形成されている。
【００１１】
図２を併せて参照すると、支持板１２０は、底面１２１と、該底面１２１に対向して位置する頂面１２２と、底面１２１及び頂面１２２を連接する複数の側面１２３と、を備える。本実施形態において、支持板１２０は四角錐台である。頂面１２２は底面１２１に平行して位置する。また、頂面１２２の面積は底面１２１の面積より小さい。側面１２３は、底面１２１に対して斜めに設置される。支持板１２０の頂面１２２及び側面１２３には、発光素子１４０と電気的に接続するための導電回路（図示せず）が設置されている。
【００１２】
反射素子１３０は支持板１２０を囲んで設置される。本実施形態において、反射素子１３０は反射キャビティ１３１を有している。支持板１２０は反射キャビティ１３１内に設置される。この反射キャビティ１３１の開口は、ベース１１０から離れる方向に向かって徐々に拡大する。また、反射キャビティ１３１の内表面には金属反射層１３２が被覆されている。
【００１３】
発光素子１４０は支持板１２０上に設置され、第一発光モジュール１４１及び第二発光モジュール１４２を備える。本実施形態において、発光素子１４０は発光ダイオードである。第一発光モジュール１４１は支持板１２０の頂面１２２上に設置され、第二発光モジュール１４２は支持板１２０の側面１２３上にそれぞれ設置される。第二発光モジュール１４２から発射される光の色温度は、第一発光モジュール１４１から発射される光の色温度より高い。第一発光モジュール１４１からの光の色度座標は（ｘ１、ｙ１）である。その中で、ｘ１は０．３０１から０．３０５の範囲にあり、ｙ１は０．２９６から０．３０１の範囲にある。第二発光モジュール１４２から発射される光の色度座標は（ｘ２、ｙ２）である。その中で、ｘ２は０．３１３から０．３１８の範囲にあり、ｙ２は０．３１４から０．３２１の範囲にある。第一発光モジュール１４１から発射される光と第二発光モジュール１４２から発射される光とは混合された後外部に出射され、混合された後の光の色度座標は（ｘ３、ｙ３）である。その中で、ｘ３は０．３０５から０．３１３の範囲にあり、ｙ３は０．３０１から０．３１４の範囲にある。上記の光の色度座標は、１９３１年に国際照明委員会（ＣＩＥ）によって作成された色度図に対応するｘ、ｙの座標値である。
【００１４】
照明装置１００は、支持板１２０、反射素子１３０及び発光素子１４０を覆うライトカバー１５０をさらに備える。第一発光モジュール１４１と第二発光モジュール１４２とから発射される混合光は、ライトカバー１５０を介して外部に出射される。また、ライトカバー１５０の内表面及び外表面には、粗面化処理を行って、第一発光モジュール１４１と第二発光モジュール１４２とから発射される光の混合レベルをさらに向上させることもできる。
【００１５】
本実施形態において、比較的に低い色温度を有する第一発光モジュール１４１から発射される光と比較的に高い色温度を有する第二発光モジュール１４２から発射される光とは、混合された後に外部に出射される。第一発光モジュール１４１又は第二発光モジュール１４２から発射される光の色温度のどちらかが基準に満たしていない場合でも、第一発光モジュール１４１から発射される光と第二発光モジュール１４２から発射される光とが混合した後の混合光の色温度は、第一発光モジュール１４１から発射される光の色温度より高く、且つ第二発光モジュール１４２から発射される光の色温度より低いため、全体の照明装置１００から発射される光の色温度は基準を満たすことができる。図３に示すように、同じバッチで生産されたＬＥＤのうち、その色度座標は一定の偏移範囲を有する。即ち、選択基準を満たすＬＥＤ光源の色度座標のＣＩＥｘを、０．３０５から０．３１３の範囲とし、ＣＩＥｙを０．３０１から０．３１４の範囲とする。この場合、標準のＬＥＤ光源のみを選択して照明装置を構成することができるが、上述したｘとｙ以外の範囲におけるＬＥＤ光源は基準を満たしていないため不良品となる。しかしながら、本発明の実施形態において、比較的に低い色温度を有するＬＥＤ光源（ＣＩＥｘが０．３０１から０．３０５の範囲にあり、ＣＩＥｙが０．２９６から０．３０１の範囲にある）と、比較的に高い色温度を有するＬＥＤ光源（ＣＩＥｘが０．３１３から０．３１８の範囲にあり、ＣＩＥｙが０．３１４から０．３２１の範囲にある）と、を組み合わせることによって、照明装置１００を構成する。従って、照明装置１００から発射された光の色度座標は標準範囲にあることができる。即ち、ＣＩＥｘは０．３０５から０．３１３の範囲にあり、ＣＩＥｙは０．３０１から０．３１４の範囲にある。故に、ＬＥＤ光源どれか一つが標準を満たさない場合でも、ＬＥＤ照明装置に応用することができるので、ＬＥＤ光源の利用効率を向上させることができる。
【００１６】
図４を参照すると、本発明の第二実施形態に係る照明装置２００は、ベース２１０、支持板２２０及び複数の発光素子２４０を備える。
【００１７】
ベース２１０は頂面２１１を有し、支持板２２０は該ベース２１０の頂面２１１上に設置される。頂面２１１に対向するベース２１０の端部には、外部電源と電気的に接続するためのねじ山インタフェース２１２が形成されている。
【００１８】
支持板２２０は平板状を呈し、発光素子２４０を設置するための頂面２２２を有する。支持板２２０の頂面２２２には、発光素子２４０と電気的に接続するための導電回路（図示せず）が設置されている。
【００１９】
発光素子２４０は支持板２２０上に設置され、第一発光モジュール２４１及び第二発光モジュール２４２を備える。本実施形態において、発光素子２４０は発光ダイオードである。第一発光モジュール２４１及び第二発光モジュール２４２は、互いに離間して支持板２２０に設置される。第二発光モジュール２４２から発射される光の色温度は、第一発光モジュール２４１から発射される光の色温度より高い。第一発光モジュール２４１から発射される光の色度座標は（ｘ１、ｙ１）である。その中で、ｘ１は０．３０１から０．３０５の範囲にあり、ｙ１は０．２９６から０．３０１の範囲にある。第二発光モジュール２４２から発射される光の色度座標は（ｘ２、ｙ２）である。その中で、ｘ２は０．３１３から０．３１８の範囲にあり、ｙ２は０．３１４から０．３２１の範囲にある。第一発光モジュール２４１から発射される光と第二発光モジュール２４２から発射される光とは、混合された後外部に出射され、混合された後の光の色度座標は（ｘ３、ｙ３）である。その中で、ｘ３は０．３０５から０．３１３の範囲にあり、ｙ３は０．３０１から０．３１４の範囲にある。
【００２０】
照明装置２００は、支持板２２０及び発光素子２４０を覆うライトカバー２５０をさらに備える。第一発光モジュール２４１と第二発光モジュール２４２とから発射される混合光は、ライトカバー２５０を介して外部に出射される。また、ライトカバー２５０の内表面及び外表面には、粗面化処理を行って、第一発光モジュール２４１と第二発光モジュール２４２とから発射される光の混合レベルを向上させることができる。
【００２１】
また、第二実施形態に係る照明装置２００は、第一実施形態で述べた発光素子２４０から発射された光を反射するための反射素子を備えることもできる。
【符号の説明】
【００２２】
１００、２００  照明装置
１１０、２１０  ベース
１１１、２１１、１２２  頂面
１１２、２１２    ねじ山インタフェース
１２０、２２０  支持板
１２１  底面
１２３  側面
１３０  反射素子
１３１  反射キャビティ
１３２  金属反射層
１４０、２４０  発光素子
１４１、２４１  第一発光モジュール
１４２、２４２  第二発光モジュール
１５０、２５０  ライトカバー
【図１】
2014041822.tif 000003
【図２】
2014041822.tif 000004
【図３】
2014041822.tif 000005
【図４】
2014041822.tif 000006